(57)【要約】【課題】球皿に貯まった遊技球を球抜孔から球箱に移し替える際に、球箱後方部への遊技球の不安定な盛り上がりが生じ難い弾球遊技機を提供する。【解決手段】外枠２に設けられた前面部材３と、前面部材３に設けられた球皿４と、球皿４の底部４ａに開設された球抜孔４ｂと、球抜孔４ｂを開閉する球抜き部材６ｂとを備えており、球皿４の球抜孔４ｂの下に臨むように遊技機設置島１００の棚板１０２に持運び用の球箱１０３を置いた状態で球抜孔４ｂを開き、そうして球皿４の球を球箱１０３に排出させるようにした弾球遊技機１であって、球抜孔４ｂの出口側後方に、球抜孔４ｂの下方に臨んでそこから流下する球の球圧を受け得る待機位置と、球抜孔４ｂの後方に垂下する球止位置との間で回動し得るように形成された球止板７を備えており、球止板７は付勢手段１０で待機位置に保持され、球圧を受けて付勢手段１０の付勢に抗して回動するようにした。【選択図】        図２
2015173811.tif 000002
【特許請求の範囲】
【請求項１】
遊技機設置島に取り付けられる外枠と、
遊技者に近い側を前、反対側を後としたとき、前記外枠の前面に設けられた前面部材と、
遊技球を貯留するために前記前面部材の前面に設けられた球皿と、
該球皿の底部に開設された球抜孔と、
該球抜孔を開閉操作する遊技者操作用の球抜き部材と、を備えており、
前記球皿の球抜孔の下に臨むように前記遊技機設置島の棚板に持ち運びタイプの球箱を置いた状態で前記球抜孔を開き、そうして球皿内の遊技球を前記球箱に排出させるようにした弾球遊技機であって、
前記球抜孔の出口側後方に、前記球抜孔の下方に臨んでそこから流下する遊技球の球圧を受け得る待機位置と、前記球抜孔の後方に垂下する球止位置と、の間で回動し得るように形成された球止板を備えており、
さらに前記球止板は、付勢手段により常態で前記待機位置に保持されると共に球圧を受けた場合に前記付勢手段の付勢に抗して回動するものであることを特徴とする弾球遊技機。
【請求項２】
前記球止板は、前記待機位置にある状態で、自己の自由端側と前記球抜孔の内周縁との間に、少なくとも一個の遊技球が流下可能な隙間を設けてなることを特徴とする請求項１記載の弾球遊技機。
【発明の詳細な説明】
【技術分野】
【０００１】
本発明は、遊技球を貯留する遊技者用の球皿を備えていて、該球皿に貯まった遊技球を持ち運び用の球箱に排出し得るようにした弾球遊技機に関する。
【背景技術】
【０００２】
遊技機設置島に取り付けられる外枠と、該外枠の前面に扉状に回動し得る状態に設けられた前面部材と、遊技球を貯留するために前記前面部材の前面に設けられた球皿と、該球皿の底部に開設された球抜孔と、該球抜孔を開閉操作する球抜き部材と、を有し、球皿の球抜孔の下に臨むように遊技機設置島の棚板に持ち運びタイプの球箱を置いて該球箱に球抜孔から遊技球を排出させるようにした弾球遊技機が、例えば特許文献１に記載されている。
【先行技術文献】
【特許文献】
【０００３】
【特許文献１】特開２００９−２６１６５５号公報
【発明の概要】
【発明が解決しようとする課題】
【０００４】
上記のように、遊技機設置島の棚板に持ち運びタイプの球箱を置き、球皿に貯まった遊技球をその球箱に排出させる弾球遊技機では、球箱の後方側が球皿の奥に隠れて遊技者から見えにくく、それ故、球箱の後方側に遊技球が貯まって不安定な状態に盛り上がっていても気付きにくい。そして、そのような状態の球箱を前方に引き出すと、盛り上がった遊技球が崩れて溢れ落ち、それが前記棚板上に散乱するおそれがあった（特許文献１[０００６]参照）。
【０００５】
特許文献１の弾球遊技機は、前記のような球箱の後方から遊技球が零れ落ちる課題に対し、外枠の前面下部に形成されている幕板部の前面上部に、球箱上面の開口面に張り出す球貯留安定化突部を突設し、その球貯留安定化突部で球箱の開口面の後縁を塞いで、その部分での遊技球の不安定な盛り上がりを防止するようにしたものである。
【０００６】
しかしながら、弾球遊技機において球箱を棚板に載せてセットするのは遊技者自身であり、したがって球箱が常に棚板の奥まで確実に押し込まれているとは限らない。そして、もし球箱のセット位置が浅くて、球箱の後方部の位置が球貯留安定化突部より前方にとどまっている場合には、球貯留安定化突部は殆ど機能しないか、又は十分な効果が望めない。
【０００７】
本発明は上記に鑑みなされたもので、その目的は、球皿に貯まった遊技球を球抜孔から球箱に移し替える際に、球箱後方部への遊技球の不安定な盛り上がりが生じ難い弾球遊技機を提供することにある。
【課題を解決するための手段】
【０００８】
上記の目的を達成するため本発明は、
遊技機設置島に取り付けられる外枠と、
遊技者に近い側を前、反対側を後としたとき、前記外枠の前面に設けられた前面部材と、
遊技球を貯留するために前記前面部材の前面に設けられた球皿と、
該球皿の底部に開設された球抜孔と、
該球抜孔を開閉操作する遊技者操作用の球抜き部材と、を備えており、
前記球皿の球抜孔の下に臨むように前記遊技機設置島の棚板に持ち運びタイプの球箱を置いた状態で前記球抜孔を開き、そうして球皿内の遊技球を前記球箱に排出させるようにした弾球遊技機であって、
前記球抜孔の出口側後方に、前記球抜孔の下方に臨んでそこから流下する遊技球の球圧を受け得る待機位置と、前記球抜孔の後方に垂下する球止位置と、の間で回動し得るように形成された球止板を備えており、
さらに前記球止板は、付勢手段により常態で前記待機位置に保持されると共に球圧を受けた場合に前記付勢手段の付勢に抗して回動するものである弾球遊技機を提供する。
【０００９】
また、請求項２に記載したように、前記球止板は、前記待機位置にある状態で、自己の自由端側と前記球抜孔の内周縁との間に、少なくとも一個の遊技球が流下可能な隙間を設けてなる請求項１記載の弾球遊技機を提供する。
【発明の効果】
【００１０】
本発明の弾球遊技機は、球皿の球抜孔を開いて遊技球を球箱に流下させると、待機位置にあった球止板がその球圧を受けて球止位置まで回動するため、流下する遊技球が球箱の後方へ向かおうとしても、回動した球止板に阻まれる。したがって、球箱後方での遊技球の盛り上がり生じ難い。
また、球止板は、球箱に遊技球が流下するとき、その球圧によって球止位置に回動して垂下するため、通常時は球皿の下面に沿っていて殆ど下に出っ張らない。よって棚板と球皿の間の空間がすっきりするため、棚板の掃除等が行いやすい。
また、球箱が仮に棚板の浅い位置にセットされた場合でも、少なくとも球皿の球抜孔の下に球箱の開口上面が対応して遊技球を受け得ることに間違いないため、球抜孔の出口側後方にある球止板も球箱の開口上面にほぼ対応する。したがって、球箱が仮に棚板の浅い位置にセットされているとしても、球止板による球箱後方への遊技球の移動は抑制可能である。
【００１１】
また、請求項２に記載の弾球遊技機は、待機位置にある球止板の自由端側と球抜孔の内周縁との間に、少なくとも一個の遊技球が流下可能な隙間を設けるようにしたため、球皿の遊技球が少量になって球圧が極小になり、付勢手段の付勢が勝って仮に球止板が待機位置に戻ったとしても、前記隙間から最後の一個まで球箱に流下させることができる。
【図面の簡単な説明】
【００１２】
【図１】上半部を省略した弾球遊技機の一部断面正面図である。
【図２】棚板に球箱をセットした状態を示す弾球遊技機の要部縦断面図である。
【図３】球箱が満杯になった状態を示す弾球遊技機の要部縦断面図である。
【図４】球抜き部材が閉位置にある状態を示す球抜き装置の半断面平面図である。
【図５】球抜き部材が開位置にある状態を示す球抜き装置の半断面平面図である。
【図６】球抜き装置の分解斜視図である。
【発明を実施するための形態】
【００１３】
以下に本発明の実施の形態を図面を参照しつつ説明する。
弾球遊技機１は、図２に示したように、遊技場に設けられた遊技機設置島１００の横桟１０１に載った状態で固定されており、その下側前方に遊技機設置島１００から遊技者側に向けて棚板１０２が突設されている。 
【００１４】
実施形態の弾球遊技機１は、遊技盤の遊技領域に向けて遊技球を打ち出し、その遊技球が入賞口に入賞する等した場合の景品として複数個の遊技球を遊技者に提供する、というものであり、一般に「パチンコ機」と称される。この弾球遊技機１は、四角く枠組みされた外枠２と、該外枠２の前面に蝶番金具（図示せず）で片開きの扉状に回動可能なように装着された前面部材３と、遊技球を貯留するために前面部材３の前面に設けられた球皿４と、を備えている。なお、外枠２には、前面側の下部に前記前面部材３の下縁に当接し得るように幕板部２ａが横設されている。
【００１５】
図示した弾球遊技機１は、下半部のみであり、省略した上半部には、周知のように透明板で覆われた窓孔と、その窓孔の奥側に装着された遊技盤と、遊技の景品たる遊技球を所定個数放出する景品球放出装置と、その景品球放出装置で放出された遊技球を受ける上の球皿等が設けられている。
そして、この上の球皿の下側に前記球皿４が配設されており、該球皿４と上の球皿が、機裏に設けたオーバーフロー樋５（図２、図３参照）で連結されている。したがって、上の球皿が満杯になると、景品球放出装置から放出される遊技球がオーバーフロー樋５を通って下の球皿４に流入する。
なお、現在では、上下の球皿が一つに統一されている機種もある。
【００１６】
[球皿]
前記球皿４は、前面部材３に開設した前記オーバーフロー樋５の球出口５ａの前方を囲う受皿状になっており、図２、図３に示したように遊技機設置島１００の前記棚板１０２の上方に迫り出している。この球皿４と棚板１０２の間の空間は、持ち運び用の球箱１０３が出し入れ可能な高さになっている。なお、球箱１０３は、両横に把手１０４，１０４を有する上面開口状の四角い合成樹脂製の箱である。
【００１７】
球皿４は、その底部４ａに円形の球抜孔４ｂが開設されており、その球抜孔４ｂに向かって緩やかに下る勾配が底部４ａに設けられている。したがって、オーバーフロー樋５の球出口５ａから球皿４に向けて放出された当初の遊技球は、底部４ａの勾配に沿って球抜孔４ｂに集まる。
【００１８】
また、球皿４には、底部４ａの下面に、遊技球の貯留と排出とを任意に切り替え得る球抜き装置６が設けられている。
【００１９】
[球抜き装置]
前記球抜き装置６は、図６に示したように、球皿４の下面にビス等の固着手段で取り付けられる上向きトレー状のベース部材６ａと、該ベース部材６ａに摺動自在に装着される球抜き部材６ｂと、該球抜き部材６ｂを付勢する付勢手段たるコイルスプリング６ｃで概略構成されている。
【００２０】
前記ベース部材６ａは、球皿４の底部４ａに対向位置する四角い基板６ｄと、その基板６ｄの周囲を低いフェンス状に囲う側枠板６ｅと、球皿４の前記球抜孔４ｂとほぼ同径で該球抜孔４ｂと縦方向に連通する縦筒孔６ｆと、前記コイルスプリング６ｃの基端を受けるバネ受けピン６ｇと、を備えている。
【００２１】
さらに前記球抜き部材６ｂは、球抜孔４ｂの下面を塞ぎ得るシャッター板６０ｂと、そのシャッター板６０ｂの遊技者側の側縁に一体に設けた摺動操作片６１ｂと、前記コイルスプリング６ｃの先端を受けるバネ受け凹部６２ｂと、を備えている。
かかる球抜き部材６ｂは、シャッター板６０ｂを球皿４とベース部材６ａの間に挟ませることにより摺動可能に支持されている。また、前記バネ受けピン６ｇとバネ受け凹部６２ｂの間にコイルスプリング６ｃが圧縮状態に介装されており、該コイルスプリング６ｃにより常態では図１、図２、図４のように、シャッター板６０ｂが球抜孔４ｂを塞ぐ閉位置に向けて付勢されている。
また、球抜き部材６ｂは、シャッター板６０ｂの横の摺動操作片６１ｂが、ベース部材６ａの側枠板６ｅに設けた操作片用欠落部６ｈを通って遊技者側に突出しており、遊技者が該摺動操作片６１ｂに前記コイルスプリング６ｃの付勢に抗する力を加える球抜き操作を行うことによって、図５のように球抜孔４ｂを開く開位置に移動させ得る。
【００２２】
球抜き装置６は以上のように構成されているため、常態では球抜き部材６ｂが閉位置にあって図１、図２、図４のように球抜孔４ｂがシャッター板６０ｂで閉じられている。したがって、オーバーフロー樋５の球出口５ａから球皿４内に放出された遊技球は、球抜孔４ｂから抜けることなく球皿４内に貯まる。
一方、球皿４に遊技球が貯まった状態で、遊技者が球抜き部材６ｂを操作して開位置に強制移動させると、図５のように球抜孔４ｂが開いて球皿４内の遊技球が球抜孔４ｂと縦筒孔６ｆを通って出口側から下方に流出する。なお、後述するが、球皿４の下には棚板１０２上に球箱１０３がセットされており、したがって球皿４から流出した遊技球は該球箱１０３に貯まる。
また、球抜き部材６ｂが開位置にある状態で遊技者が摺動操作片６１ｂから手を離すと、コイルスプリング６ｃの弾性により球抜き部材６ｂが閉位置に移動して元の状態に戻る。
【００２３】
しかして本発明は、上記の弾球遊技機１において、球皿４から球箱１０３に移し替えた遊技球が、球箱１０３上で不安定に盛り上がって該球箱１０３を手前に引き出す際に崩れ落ちる不具合を解消すべく、球箱１０３用の球零れ防止手段を設けたことを特徴とする。
【００２４】
この球零れ防止手段は、球皿４の球抜孔４ｂの出口側後方に回動可能に軸着された球止板７と、該球止板７を付勢する付勢手段で構成されている。
【００２５】
[球止板]
球止板７は、図２，図６に示したように、一端に軸孔７ａを有する平面視略長方形の板状部材であって、球抜孔４ｂの出口側後方に、該球抜孔４ｂの下方に棚板状に臨んでそこから流下する遊技球の球圧を受け得る待機位置と、球抜孔４ｂの後方に垂下する球止位置との間で回動し得るように軸着されている。
【００２６】
具体的には球止板７は、遊技者側から見た左右方向の長さが球抜き装置６のベース部材６ａとほぼ同程度であって、前記球抜き装置６のベース部材６ａの後縁に突設された軸受部６ｉと、自己の前記軸孔７ａとに回転軸９を挿通し、そうしてベース部材６ａの後縁に回動可能な状態に軸着されている。
【００２７】
球止板７は、図２に示した前記待機位置にあるとき、自由端側と球抜孔４ｂの内周縁との間に遊技球一個分強の隙間Ｓが形成されるように短手方向の長さが設定されている。したがって、球抜き部材６ｂが開位置にあるときは、たとえ球止板７が待機位置にあっても、球抜孔４ｂには少なくとも一個の遊技球が通る広さの通路が確保されている。
【００２８】
また、球止板７は、図３に示した前記球止位置にあるとき、球抜孔４ｂの後方に垂下し、その姿勢で自由端側が球箱１０３の後側の上縁とほぼ同じ高さになるように設定されている。なお、球止板７の回転軸９より後側には鍵状のストッパー片７ｂが形成されており、該ストッパー片７ｂが球抜き装置６の前記ベース部材６ａに係合することで球止板７が前記球止位置に停止するようになっている。
【００２９】
［付勢手段］
付勢手段は、図２に示したように、球止板７の回転軸９とストッパー片７ｂとの間にインサートした棒状の重錘１０であり、回転軸９を中心として球止位置から待機位置に向かって回動するように球止板７を付勢する。この重錘１０による付勢は、球止板７が待機位置の姿勢で釣り合って静止する程度が理想的であり、そうすることで一個の遊技球の重みで球止板７を傾動させることができる。
もっとも実際には、重錘１０の重さやインサート位置にバラツキが生じ得るため、球止板７が確実に待機位置に向かって回動するように付勢の強さが設定される。
【００３０】
[球抜き操作]
次に、球皿４に貯まった遊技球を球箱１０３に移し替える球抜き操作について説明する。
先ず、遊技者が、球箱１０３を、棚板１０２の手前側から奥に向けて押し込んで、図２に示したように、少なくとも球箱１０３の上面開口部が球皿４の球抜孔４ｂの下に対応するようにしてセットする。このとき球皿４の下の球止板７は、待機位置にあって球皿４の下面に沿った状態になっているため、球箱１０３は球止板７に関わり合うことなくその下方を移動する。
【００３１】
次に、遊技者が、閉位置にある球抜き部材６ｂの摺動操作片６１ｂに指を掛け、コイルスプリング６ｃの付勢に抗して球抜き部材６ｂを開位置に移動させると、図５のようにシャッター板６０ｂがずれて球抜孔４ｂが開く。これにより球抜孔４ｂから球箱１０３に向かって遊技球が流出する。
一方、球皿４の下の球止板７は、図２のように、待機位置にあって球抜孔４ｂの下方に臨んでいるため、球抜孔４ｂから流下する遊技球の球圧を受ける。そうすると、待機位置にあった球止板７が重錘１０の付勢に抗して回動する。この球止板７の回動の程度は遊技球の量によるのであって、遊技球量が少なければ斜めに傾く程度で次々と流出し、一方、遊技球量が多ければ球止位置まで一気に回動する。もっとも球止板７の回動の程度に拘わらず、球抜孔４ｂを通って球止板７に当たった遊技球は、球箱１０３の前方に向かう方向に勢い付けられる。特に実施形態では、球止位置にある球止板７の前面を斜めに傾けて、流下する遊技球を前方に向けて勢い付けるようにしたため、球箱１０３の前方に向かって流れやすい。
【００３２】
上記のように球抜孔４ｂを通った遊技球は、球止板７で球箱１０３の前方に向けて勢い付けられるが、球止板７より下の部分では遊技球が球箱１０３内を自由に移動し得るため、球止板７の存在とは無関係に球箱１０３の隅々に行き渡る。
そして、遊技球の貯留レベルが球止板７の下端にまで達すると、それ以降の遊技球は、球止板７の前方に溜まって球圧を掛け続けるため、球止板７が球止位置に張り付けられたような状態になる。この球止板７により、遊技球の球箱１０３後方への移動が抑制されるため、球箱１０３の後方に遊技球の盛り上がりが生じない。
また、遊技者は、球箱１０３に遊技球が溜まってくると、遊技球を後方に押すなどして手で均そうとする場合があるが、そのような場合でも球止板７によってブロックされるため、球箱１０３の後方での遊技球の盛り上がりが防止できる。ちなみに、球箱１０３内の遊技球を手で均そうとすると、球箱１０３の奥が球皿４等に隠れて見えにくく当然手探り状態になるため、球箱１０３の後部に遊技球の盛り上がりができても判らない。
【００３３】
次に、球箱１０３が満杯になった頃合いで遊技者が球抜き部材６ｂの摺動操作片６１ｂから手を離すと、コイルスプリング６ｃの付勢により球抜き部材６ｂが閉位置に自動的に復動する。
次に、図３に示したように、遊技球で満たされた球箱１０３を棚板１０２から引き出す。その球箱１０３の前方への移動によって相対的に球止板７が後方に移動する格好になるため、球止板７の前方に溜まっていた遊技球が、徐々に球止板７の後方の遊技球の少ない部分に流れて自然に平らに均されていく。したがって、遊技球を散乱させることなく棚板１０２から球箱１０３を引き出すことができる。
一方、球止板７は、球箱１０３の引き出し動作によって、その前方に溜まっていた遊技球がなくなるため、重錘１０の付勢によって自動的に待機位置に復動する。
なお、球箱１０３を棚板１０２上でスライドさせて引き出す場合、球止位置にある球止板７に球箱１０３の後部が接触するおそれがあるが、その接触によって球止板７が受ける力と、球止板７が待機位置に戻る回動方向とが同じであるため、殆ど影響はない。
【００３４】
以上、本発明を実施の形態について説明したが、もちろん本発明は上記実施形態に限定されるものではない。例えば、実施形態では、球止板７を待機位置に保持する付勢手段として重錘１０を使用したが、バネなどの弾性体で該付勢手段を構成してもよい。
また、実施形態では、球止板７の球止位置における自由端側の位置を球箱１０３の上縁とほぼ同じになるように設定したが、球止位置における球止板７の自由端側の位置は、球箱１０３の上縁から遊技球一個分以下の範囲に設定するか、あるいは、球箱１０３の上縁より下に設定してもよい。
【００３５】
また、実施形態では、待機位置にある球止板７の自由端側と球抜孔４ｂの内周縁との間に、少なくとも一個の遊技球が流下可能な隙間Ｓを設けるようにしたが、かかる隙間Ｓを設けないようにしても、例えば、待機位置にある球止板７に遊技球が載って球箱１０３に流下しない状態になった場合には、遊技者が指先で球止板７を押し開いて遊技球を落下させる、というような仕様にしておけば実施は可能である。もちろんその場合には、遊技者に球止板７の押し開きという余計な操作を強いることになるため、その分、隙間Ｓを設けた実施形態の方が使い勝手がよい。加えて、実施形態のように前記隙間Ｓを設けて少量の遊技球がそこから落下し得るようにした場合には、球止板７の回動頻度が実質的に低下するため、寿命が長くなる点でも有利である。
【００３６】
また、実施形態では、球止板７をベース部材６ａに設けるようにしたが、球止板７を球皿４の底部４ａに直接軸着するか、或は、外枠２の幕板部２ａに軸受アームを突設してその軸受アームに軸着させるようにしてもよい。もっとも実施形態のように球止板７を球抜き装置６のベース部材６ａに設けた場合には、ベース部材６ａを交換するのみで既設の弾球遊技機にも本発明を適用することができる。
【符号の説明】
【００３７】
１  …弾球遊技機
２  …外枠
３  …前面部材
４  …球皿
４ａ  …底部
４ｂ  …球抜孔
６ｂ  …球抜き部材
７  …球止板
１０  …重錘（付勢手段）
１００  …遊技機設置島
１０２  …棚板
１０３  …球箱
【図１】
2015173811.tif 000003
【図２】
2015173811.tif 000004
【図３】
2015173811.tif 000005
【図４】
2015173811.tif 000006
【図５】
2015173811.tif 000007
【図６】
2015173811.tif 000008